(57)【要約】【課題】複数の口座に利用者の指定にしたがって１回の入金取引でそれぞれの口座に入金する自動取引装置および自動取引システムを提供する。また、複数の口座から利用者の指定にしたがって１回の出金取引でそれぞれの口座から出金する自動取引装置および自動取引システムを提供する。【解決手段】複数の口座間で入金、出金、振込み等の取引を一括処理する自動取引装置において、カード等の取引媒体から読取った口座番号に対応する本口座および予め登録した該本口座に関連する関連口座を利用者口座情報データベースから取得して、該本口座および関連口座に利用者の指定にしたがって１回の入金取引等でそれぞれの口座に入金等することを特徴とする。【選択図】        図１
2006099316.tif 000002
【特許請求の範囲】
【請求項１】
複数の口座間で入金、出金、振込み等の取引を一括処理する自動取引装置において、
カード等の取引媒体から読取った口座番号に対応する本口座および予め登録した該本口座に関連する関連口座を利用者口座情報データベースから取得して、利用者の指定にしたがって一回の入金取引で該本口座および関連口座の中から利用者が選択したそれぞれの口座に入金することを特徴とする自動取引装置。
【請求項２】
請求項１の自動取引装置において、
前記利用者の指定は、利用者が選択したそれぞれの口座に入金する金額であることを特徴とする自動取引装置。
【請求項３】
請求項１の自動取引装置において、
前記利用者の指定は、利用者が選択した口座に入金するすべての金額に対する割合であることを特徴とする自動取引装置。
【請求項４】
請求項１の自動取引装置において、
前記本口座および関連口座を利用者が付与した名称で画面に表示したキーを押下して選択することを特徴とする自動取引装置。
【請求項５】
請求項１の自動取引装置において、
前記本口座および関連口座の残高を利用者口座情報データベースから取得して画面に表示することを特徴とする自動取引装置。
【請求項６】
複数の口座間で入金、出金、振込み等の取引を一括処理する自動取引システムにおいて、
カード等の取引媒体から読取った口座番号に対応する本口座および予め登録した該本口座に関連する関連口座を利用者口座情報データベースから取得して、利用者が指定した金額または割合にしたがって一回の入金取引で該本口座および関連口座の中から利用者が選択したそれぞれの口座に入金する自動取引装置を備えた自動取引システム。
【請求項７】
複数の口座間で入金、出金、振込み等の取引を一括処理する自動取引装置において、
カード等の取引媒体から読取った口座番号に対応する本口座および予め登録した該本口座に関連する関連口座を利用者口座情報データベースから取得して、利用者が選択した該本口座および関連口座の間で利用者が指定した日に指定した金額の振込み取引を行なうことを特徴とする自動取引装置。
【請求項８】
複数の口座間で入金、出金、振込み等の取引を一括処理する自動取引システムにおいて、
カード等の取引媒体から読取った口座番号に対応する本口座および予め登録した該本口座に関連する関連口座を利用者口座情報データベースから取得して、利用者が選択した該本口座および関連口座の間で利用者が指定した日に指定した金額の振込み取引を行なう自動取引装置を備えた自動取引システム。
【請求項９】
複数の口座間で入金、出金、振込み等の取引を一括処理する自動取引装置において、
カード等の取引媒体から読取った口座番号に対応する本口座および予め登録した該本口座に関連する関連口座を利用者口座情報データベースから取得して、利用者が指定した金額または割合にしたがって一回の出金取引で該本口座および関連口座の中から利用者が選択した口座から出金することを特徴とする自動取引装置。
【請求項１０】
複数の口座間で入金、出金、振込み等の取引を一括処理する自動取引システムにおいて、
カード等の取引媒体から読取った口座番号に対応する本口座および予め登録した該本口座に関連する関連口座を利用者口座情報データベースから取得して、利用者が指定した金額または割合にしたがって一回の出金取引で該本口座および関連口座の中から利用者が選択した口座から出金する自動取引装置を備えた自動取引システム。
【発明の詳細な説明】
【技術分野】
【０００１】
本発明は、自動取引装置および自動取引システムに関し、特に、複数の口座を有する利用者が入金、出金および振込み等の取引を同時に一括して行なえる自動取引装置および自動取引システムに関する。
【背景技術】
【０００２】
従来の自動取引装置および自動取引システムでは、複数の銀行口座を有する利用者が複数の銀行口座間で互いに入金、出金および振込み等の取引を一取引で一括して行なうために均等指定ボタン、割合指定ボタンおよび金額指定ボタンを備えて取引後の最終的な各口座残高を所望の残高にすることができるものが提案されている（例えば、特許文献１参照）。
【０００３】
また、複数の銀行口座を有する利用者が取引操作中に随時、取引したい口座を追加でき、取引口座の残高確認後等において、全口座または任意の口座を選んで入金、出金および振込み等の取引を同時に一括して行なうものが提案されている（例えば、特許文献２参照）。
【特許文献１】特開平７−２９６２４９号公報（段落「０００７」〜段落「０００９」、図２）
【特許文献２】特開２０００−９９８２５号公報（段落「００３７」〜段落「００８３」、図４から図９）
【発明の開示】
【発明が解決しようとする課題】
【０００４】
しかしながら、上述した従来の技術は、複数の銀行口座を有する利用者が複数の銀行口座について入金、出金および振込み等の取引を一取引で一括して行なうものであるが、取引後の最終的な各口座残高を所望の残高にすることを目的にしたものである。これは、利用者が有する複数ある口座のそれぞれの口座について現在の口座残高と所望の残高の差異を算出し、その差異をすべての口座について累計して算出した金額が不足すれば必要な入金金額の入金取引を、金額が余剰になればその金額の出金取引を一取引で行なうものである。
【０００５】
このような技術では複数の銀行口座を有する利用者は予め各口座の残高を正確に把握していることが望ましいが、取引をする前に各口座の残高を正確に把握していない場合等は自動取引装置を操作することで初めて各口座の正確な残高を知ることができる。一方、自動取引装置が設置されているキャッシュコーナー等は利用者の行列ができていることもあり、利用者は短時間で所持する現金との関係を考慮しつつ希望する取引後の各口座残高を計算しようとする結果、計算を誤ってしまうこともある。
【０００６】
このように利用者が計算を誤ってしまったときは、入金するために持参した現金では不足する場合や入金することを希望するにもかかわらず出金をしてしまう場合等がある。このような場合は最初から取引後の最終的な各口座残高を再計算して設定しなおさなければならず利用者の操作に時間がかかるという問題がある。
また、利用者は取引する口座ごとにカード等の取引媒体を挿入する必要があり利用者の操作に時間がかかるという問題がある。
【０００７】
本発明は、このような問題を解決することを課題とする。
【課題を解決するための手段】
【０００８】
そのため、本発明は、複数の口座間で入金、出金、振込み等の取引を一括処理する自動取引装置において、カード等の取引媒体から読取った口座番号に対応する本口座および予め登録した該本口座に関連する関連口座を利用者口座情報データベースから取得して、利用者の指定にしたがって一回の入金取引で該本口座および関連口座の中から利用者が選択したそれぞれの口座に入金することを特徴とする。
【発明の効果】
【０００９】
このようにした本発明は、複数の口座を有する利用者が１回の入金取引で各口座に入金する金額や全入金金額に対する割合を指定して入金取引を行なうことにより、複数の口座に入金する取引を１回の取引で行なう効果を維持しつつ、希望する入金取引を必ずすることができ自動取引装置の操作をやり直すことがなくなるという効果が得られる。
また、利用者はひとつの口座に対応する1枚のカード等の取引媒体を挿入すればよいため操作の時間を短縮することができるという効果が得られる。
【発明を実施するための最良の形態】
【００１０】
以下、図面を参照して本発明による自動取引装置および自動取引システムの実施例を説明する。
【実施例】
【００１１】
図１は第１の実施例を示す自動取引システム構成のブロック図、図２は第１の実施例を示す自動取引装置のブロック図、図３は第１の実施例を示す利用者口座情報データベースの説明図、図４は第１の実施例を示すフローチャートである。
図１において、１は自動取引装置であり、銀行等の金融機関またはコンビニエンスストア等に設置されるものである。この自動取引装置１は利用者の操作により現金の入出金取引および振込み取引等ができるものである。また、ネットワーク２に通信可能に接続されている。
【００１２】
３はホストコンピュータであり、銀行等の金融機関の事務センタ等に設置される。このホストコンピュータ３は自動取引装置１との間で入金、出金、振込み等の取引電文の送受信を行い利用者の取引を成立させるか否かを判断する。また、利用者の口座番号と利用者の暗証番号等で本人であるか否かの本人認証も行なう。なお、ホストコンピュータ３はネットワーク２を介して自動取引装置１と相互に通信可能に接続されている。
【００１３】
４は利用者口座情報サーバであり、銀行等の金融機関の事務センタ等に設置されるものである。この利用者口座情報サーバ４はネットワーク２を介してホストコンピュータ３および自動取引装置１と相互に通信可能に接続されている。また、記憶部に備えたデータベースをあるデータに基づいて検索および抽出することができ、その抽出したデータを自動取引装置１に送信することができる。
【００１４】
なお、利用者口座情報サーバ４はＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段、磁気ディスク、半導体メモリ等の記憶手段、キーボード、マウス等の入力手段、ＣＲＴ（Ｃａｔｈｏｄｅ  Ｒａｙ  Ｔｕｂｅ）、液晶ディスプレイ等の表示手段および通信手段等を備えるものである。
【００１５】
５は利用者口座情報データベースであり、利用者口座情報サーバ４の記憶部に備えられている。この利用者口座情報データベース５は利用者の口座ごとに口座残高や関連口座番号等を格納するものであるが詳細は後述する。
図２において、自動取引装置１は利用者操作表示部２１、カードリーダプリンタ部２２、入出金部２３、通帳部２４および制御部２５を備えている。
【００１６】
利用者操作表示部２１は、ＣＲＴディスプレイや液晶ディスプレイ等の表示部上にタッチパネルを配置し利用者が入力操作等を行なうものであり、また、取引選択画面、利用者が選択した取引に対して利用者の入力操作等の誘導を行なう画面および入力された情報等を表示するものである。
カードリーダプリンタ部２２は、利用者がカード挿入口から挿入したカードの磁気ストライプまたはＩＣチップ等から口座番号等の利用者情報を読取り、また、利用者がした取引の内容を明細票に印刷するものである。口座番号等を読取ったカードはカード排出口から排出して利用者に返却し、また、取引内容を印刷した明細票は明細票排出口から排出して利用者に渡す。
【００１７】
入出金部２３は、紙幣入出金機および硬貨入出金機で構成され、取引に伴う紙幣や硬貨の入出金処理を行なうものである。ここで、入金処理とは利用者が紙幣入出金口に入れた紙幣を紙幣入出金機で計数して金庫に収納し、硬貨入出金口に入れた硬貨を硬貨入出金機で計数して金庫に収納することである。また、出金処理とは利用者の操作により指定した金額に相当する紙幣および硬貨をそれぞれ紙幣入出金機および硬貨入出金機の金庫から繰り出して計数し紙幣入出金口および硬貨入出金口に搬送して利用者に払い出すことである。
【００１８】
通帳部２４は、利用者が挿入した通帳の磁気ストライプから口座番号等の利用者情報を読み取り、また、通帳に取引内容等を印刷するものである。口座番号等を読取り、また、取引内容等を印刷した通帳は通帳排出口から排出して利用者に返却する。
２５は制御部であり、記憶部２５１、振分処理部２５２、取引処理部２５３等で構成されている。この制御部２５は利用者操作表示部２１、カードリーダプリンタ部２２、入出金部２３および通帳部２４を含めて自動取引装置１全体の動作を記憶部２５１に格納されたソフトウェアに基づいて制御する。また、ネットワーク２を介してホストコンピュータ３および利用者口座情報サーバ４と相互に通信可能に接続されている。
【００１９】
記憶部２５１は、半導体メモリや磁気ディスク等で構成されデータを格納して記憶し、また、記憶したデータを読取ることができるものである。
振分処理部２５２は利用者が行なう１回の入金取引で指定した金額を利用者が有する複数の口座へ入金するように入金取引を振り分ける手段である。
取引処理部２５３は利用者が行う入金、出金および振込み等の取引を既定の手順にしたがって実行する手段である。
【００２０】
図３において、利用者口座情報データベース５のレコードは口座番号３１、口座残高３２、口座名称３３および関連口座番号３４で構成されている。
口座番号３１は利用者が有する口座の番号である。この口座番号３１は利用者が所持するカードおよび通帳等の磁気ストライプ等に記録されている口座番号と同一のものである。また、利用者はひとりで複数の口座を有する場合があり、この場合はそれぞれの口座にひとつの口座番号が付与される。なお、図３において口座番号３１は０００１から９９９９としているが口座を識別できるものであればこれに限られるものでない。
【００２１】
口座残高３２は利用者が有する口座の残高であり、口座番号３１で示す口座の残高である。なお、この口座残高３２はホストコンピュータ３が管理する口座残高が更新されたときはホストコンピュータ３から利用者口座情報サーバ４に更新後の口座残高が通知され随時更新されるものである。
口座名称３３は利用者が利用する口座について任意に付与した名称であり、口座番号３１に対応して付与した名称を口座名称３３に格納する。なお、この口座名称３３は利用者の操作により利用者操作表示部２１から入力することができるものである。例えば、図３は口座番号０００１に「本口座」、口座番号０００３に「引落口座」、口座番号０００５に「貯蓄口座」の名称を付与したものである。
【００２２】
関連口座番号３４は利用者が利用する口座が複数ある場合、それらの口座が関連していることを示すものであり、口座番号３１に対応して関連する口座番号を格納することができる。ここで、関連する口座とはひとりの利用者が使用する口座群を意味し、例えば、貯蓄用の口座、公共料金などの各種料金を引き落とす引き落し用の口座またはクレジットカード等の決済用の口座等の口座群を意味するものである。
【００２３】
図３において、口座番号０００１は口座番号０００３と口座番号０００５が関連していることを示し、口座番号０００３は口座番号０００１と口座番号０００５が関連していることを示し、口座番号０００５は口座番号０００１と口座番号０００３が関連していることを示す。したがって、口座番号０００１と口座番号０００３と口座番号０００５は相互に関連する口座であることを示している。
【００２４】
なお、関連する口座が存在する場合は関連口座番号３４には１または２以上の関連口座番号を格納することができ、関連口座が存在しない場合はヌルデータ等を格納する。また、この関連口座番号３４は予め利用者は金融機関等の窓口で関連する口座群を申請し、金融機関等のオペレータが図示しない端末装置等を使用して登録しておくものである。
上述した構成の作用について図４の第１の実施例を示すフローチャートのＳで表すステップにしたがって説明する。なお、以下に説明する各部の動作は、記憶部２５１または図示しない記憶部に格納されたプログラム（ソフトウェア）に基づいて制御部２５または図示しない制御部により制御される。
【００２５】
まず、利用者口座情報データベース５に格納された口座番号３１、口座残高３２、口座名称３３および関連口座番号３４はホストコンピュータ３からの通知や金融機関等のオペレータの操作等により予め設定しておく。
Ｓ４０１：自動取引装置１は図示しないセンサにより利用者が接近したことを検知する。
【００２６】
Ｓ４０２：自動取引装置１は利用者が接近したことを検知すると図５に示す初期画面を利用者操作表示部２１に表示する。この初期画面には利用者が行なう取引を選択するための入金キー５１、お支払キー５２、お振込みキー５３、残高照会キー５４、通帳記入キー５５、振り分け設定キー５６等がある。利用者は希望するキーを押下することで取引を開始することができる。
【００２７】
Ｓ４０３：利用者は希望する取引を示すキーを押下する。
Ｓ４０４：利用者が押下したキーが入金キー５１以外の場合は他のそれぞれの取引を行なう。
Ｓ４０５：利用者が入金キー５１を押下すると自動取引装置１は利用者にカードまたは通帳等の取引媒体の挿入を促す画面を表示し、カードリーダプリンタ部２２はカード、通帳部２４は通帳の挿入を待つ。利用者がカードを挿入した場合はカードリーダプリンタ部２２でカードの磁気ストライプ等に記録された利用者の口座番号を読取り、また、利用者が通帳を挿入した場合は通帳部２４で通帳の磁気ストライプに記録された利用者の口座番号を読取る。なお、ここで利用者の暗証番号の入力を行い本人確認するようにしてもよい。
【００２８】
Ｓ４０６：自動取引装置１は読取った利用者の口座番号を利用者口座情報サーバ４へ送信する。利用者口座情報サーバ４はその口座番号に対応する口座（以下、「本口座」という。）の口座残高３２ならびに口座名称３３およびその口座に関連する口座（以下、「関連口座」という。）に対応する口座残高３２ならびに口座名称３３を抽出して自動取引装置１へ送信する。自動取引装置１は受信した口座残高３２および口座名称３３をもとに図６に示す口座残高の表示画面を利用者操作表示部２１に表示する。
【００２９】
例えば、利用者のカードまたは通帳から読取った口座番号が０００１とすると自動取引装置１はその口座番号０００１を利用者口座情報サーバ４に送信する。利用者口座情報サーバ４は受信した口座番号０００１に基づいて利用者口座情報データベース５を検索して口座残高３２の「１２３、４５６」、口座名称３３の「本口座」および関連口座番号３４の「０００３と０００５」を抽出する。
【００３０】
次に、利用者口座情報サーバ４は抽出した口座番号０００３に基づいて利用者口座情報データベース５を検索して口座残高３２の「１、１１１」、口座名称３３の「引落口座」および関連口座番号３４の「０００１と０００５」を抽出する。さらに、利用者口座情報サーバ４は抽出した口座番号０００５に基づいて利用者口座情報データベース５を検索して口座残高３２の「２、２２２」、口座名称３３の「貯蓄口座」および関連口座番号３４の「０００１と０００３」を抽出する。こうして、利用者口座情報サーバ４は口座番号０００１に関連するすべての口座の口座残高３２と口座名称３３を抽出する。次に、利用者口座情報サーバ４は抽出したすべての口座残高３２と口座名称３３を自動取引装置１へ送信する。
【００３１】
自動取引装置１は受信した口座残高３２と口座名称３３から図６に示すように利用者のカードまたは通帳から読取った口座番号が０００１の口座について口座名称３３および口座残高３２を利用者操作表示部２１の本口座残高表示領域６３に表示する。また、口座番号０００１の関連口座である口座番号０００３および口座番号０００５の口座名称３３と口座残高３２を利用者操作表示部２１の関連口座残高表示領域６１、６２に表示する。
【００３２】
なお、口座名称３３に口座名称が設定されていない場合は口座番号を表示する。また、本実施例では関連口座は２口座で説明するが１口座でもよく、３口座以上でもよく、なくてもよいものである。この場合は関連口座の数に合わせて関連口座残高表示領域を増減する。したがって、関連口座が存在しない場合は関連口座残高表示領域６１、６２には何も表示しない。
【００３３】
さらに、図６に示す口座残高の表示画面には本口座および関連口座の複数の口座に入金する場合に押下する「複数の口座に入金する」キー６４、本口座のみに入金する場合に押下する「本口座に入金する」キー６５および口座名称３３を変更する場合に押下する「口座の名称を変更する」キー６６を表示する。
Ｓ４０７：利用者は、複数の口座に入金する場合は「複数の口座に入金する」キー６４を押下し、本口座のみに入金する場合は「本口座に入金する」キー６５を押下する。
【００３４】
Ｓ４０８：利用者が「複数の口座に入金する」キー６４を押下した場合は図７に示す入金設定画面を利用者操作表示部２１に表示する。ここで、図７において、７１は本口座キーであり、その中には本口座にかかる口座名称３３を表示する。７２と７３は関連口座キーであり、その中には関連口座にかかる口座名称３３を表示する。本口座キー７１および関連口座キー７２，７３は利用者が入金する金額または割合を設定する口座を選択するときに押下するキーである。なお、本実施例では関連口座キーはふたつ表示したがふたつに限られるものでない。
【００３５】
７４は金額や割合を入力するための数字キー、７５は割合を示す割合キー、７６は金額を示す円キー、７７は入力した数字等を訂正する訂正キー、７８は利用者の入力が終了したときに押下する終了キーである。
利用者はこの画面において、本口座および関連口座に入金する金額または割合を設定する。例えば、利用者が本口座および関連口座に金額を指定して入金する場合は、本口座キー７１を押下し、続けて数字キー７４で本口座に入金する金額を押下してその後に円キー７６を押下する。次に、関連口座キー７２（この場合は引落口座）を押下し、続けて数字キー７４で関連口座に入金する金額を押下してその後に円キー７６を押下する。同様に関連口座キー７３（この場合は貯蓄口座）を押下し、続けて数字キー７４で関連口座に入金する金額を押下してその後に円キー７６を押下する。
【００３６】
利用者が本口座および関連口座に割合を指定して入金する場合は、本口座キー７１を押下し、続けて数字キー７４で本口座に入金する割合を押下してその後に割合キー７５を押下する。次に、関連口座キー７２（この場合は引落口座）を押下し、続けて数字キー７４で関連口座に入金する割合を押下してその後に割合キー７５を押下する。同様に関連口座キー７３（この場合は貯蓄口座）を押下し、続けて数字キー７４で関連口座に入金する割合を押下してその後に割合キー７５を押下する。
【００３７】
ここで、割合とは全入金額に対する割合である。例えば、入金するすべての金額が１０万円であり、本口座に１０％、関連口座である引落口座に６０％、貯蓄口座に３０％を設定すると本口座に１万円、関連口座である引落口座に６万円、貯蓄口座に３万円がそれぞれ入金される。
本口座および関連口座に入金する金額または割合の設定が完了し、利用者が終了キー７８を押下すると図８に示す複数口座に入金する画面を表示する。８１には利用者が設定した割合または金額を表示し、利用者が間違いのないことを確認したら確認キー８３を押下する。間違いが有る場合は訂正キー８２を押下し、利用者は入金する金額または割合の設定を再度行なう。
【００３８】
なお、入金する金額で０円または入金する割合で０％を指定した場合、その口座には入金されない。
Ｓ４０９：利用者が「本口座に入金する」キー６５を押下した場合は通常の入金取引である本口座のみに入金する設定となる。
Ｓ４１０：取引処理部２５３は利用者が希望する金額の入金取引を行なう。ここで、利用者が「本口座に入金する」キー６５を押下した場合はもとより「複数の口座に入金する」キー６４を押下した場合であっても１回の入金取引を行なうだけである。Ｓ４０８およびＳ４０９で操作した設定にしたがって振分処理部２５２で処理され利用者が入金した全金額の一部を本口座に、また、一部を関連口座に入金するように振分けてホストコンピュータ３に本口座の口座番号と入金した金額および関連口座の口座番号と入金した金額を送信する。
【００３９】
Ｓ４１１：自動取引装置１はホストコンピュータ３との通信で入金取引が完了したら利用者が挿入したカードまたは通帳を返却して一連の入金取引は終了する。
Ｓ４０７で利用者が「口座の名称を変更する」キー６６を押下した場合は、図９に示す口座名称変更画面を表示する。９１は本口座キーであり、その中には本口座にかかる口座名称３３を表示する。９２と９３は関連口座キーであり、その中には関連口座にかかる口座名称３３を表示する。利用者は本口座キー９１および関連口座キー９２，９３を押下すると該当する口座名称３３を変更することができる。
【００４０】
利用者が本口座キー９１および関連口座キー９２，９３のいずれかを押下すると図１０に示す口座名称入力画面が表示される。１０１は入力した文字列を表示する領域であり、１０２はひらがなキー、１０３は入力したひらがなを漢字に変換する変換キー、１０４は入力した文字を訂正する訂正キー、１０５は口座名称のすべての入力が完了したときに押下する確認キー、１０６は口座名称の入力を途中で中止する戻るキーである。これらのキーを押下することで利用者は任意の口座名称を入力することができる。
【００４１】
以上説明したように、第１の実施例では、複数の口座を有する利用者が１回の取引で各口座に入金する金額や全入金金額に対する割合を指定して入金取引を行なうことにより希望する入金取引を必ずすることができ自動取引装置の操作をやり直すことがなくなるという効果が得られる。
また、本口座に関連する関連口座を予め利用者口座情報データベースに登録することにより、利用者がする取引媒体を挿入および暗証番号等の入力が１回となり、利用者の操作負担が軽減され、また、取引時間が短縮されるという効果が得られる。
【００４２】
図１１は本発明の第２の実施例を示すフローチャートである。なお、構成は上述した第１の実施例と同様であり、同一の部分は同一の符号を付してその説明を省略する。
第２の実施例の作用について図１１の第２の実施例を示すフローチャートのＳで表すステップにしたがって説明する。
まず、利用者口座情報データベース５に格納された口座番号３１、口座残高３２、口座名称３３および関連口座番号３４はホストコンピュータ３からの通知や金融機関等のオペレータの操作等により予め設定しておく。
【００４３】
Ｓ１１０１：自動取引装置１は図示しないセンサにより利用者が接近したことを検知する。
Ｓ１１０２：自動取引装置１は利用者が接近したことを検知すると図５に示す初期画面を利用者操作表示部２１に表示する。利用者は希望するキーを押下することで取引を開始することができる。
【００４４】
Ｓ１１０３：利用者は希望する取引を示すキーを押下する。
Ｓ１１０４：利用者が押下したキーが振り分け設定キー５６以外の場合は他のそれぞれの取引を行なう。
Ｓ１１０５：利用者が振り分け設定キー５６を押下すると自動取引装置１は利用者にカードまたは通帳等の取引媒体の挿入を促す画面を表示し、カードリーダプリンタ部２２はカード、通帳部２４は通帳の挿入を待つ。利用者がカードを挿入した場合はカードリーダプリンタ部２２でカードの磁気ストライプ等に記録された利用者の口座番号を読取り、また、利用者が通帳を挿入した場合は通帳部２４で通帳の磁気ストライプに記録された利用者の口座番号を読取る。
【００４５】
ここで、利用者の本人確認を行なうため利用者の暗証番号等を入力する。自動取引装置１は読取った口座番号と入力された利用者の暗証番号等をホストコンピュータ３へ送信し、ホストコンピュータ３で本人であるか否かの本人認証を行なう。
Ｓ１１０６：自動取引装置１は読取った利用者の口座番号を利用者口座情報サーバ４へ送信する。利用者口座情報サーバ４は、その口座番号に対応する口座である本口座の口座残高３２ならびに口座名称３３およびその口座に関連する口座である関連口座に対応する口座残高３２ならびに口座名称３３を抽出して自動取引装置１へ送信する。自動取引装置１は受信した口座名称３３をもとに図１２に示す振り分け元口座指定画面を利用者操作表示部２１に表示する。
【００４６】
図１２において、１２１は本口座キーであり、その中には本口座にかかる口座名称３３を表示する。１２２と１２３は関連口座キーであり、その中には関連口座にかかる口座名称３３を表示する。利用者は振り分け元となる口座を本口座キー１２１または関連口座キー１２２、１２３を押下して指定する。なお、振り分け元となる口座は本口座に限らず関連口座であってもよい。
【００４７】
Ｓ１１０７：利用者が本口座キー１２１または関連口座キー１２２、１２３のいずれかを押下すると図１３に示す振り分け指定画面を利用者操作表示部２１に表示する。例えば、図１３は利用者が本口座キー１２１を押下した場合の振り分け指定画面である。１３１は振り分け元の口座の口座名称３３および口座残高３２を表示する領域、１３２は振り分け指定日を表示する領域、１３３は振り分け先の口座の口座名称３３および振り分け金額を表示する領域である。
【００４８】
１３４は数字キー、１３５は金額を確定する円キーである。１３６は日キー、１３７は月キー、１３８は年キーであり、振り分け指定日の年月日を指定するキーである。１３９は毎月キー、１４０は毎年キーであり、振り分け指定日を毎月、毎年で指定するキーである。例えば、毎月1日に振り分けるのであれば、毎月キー１３９、数字キー１３４の「１」、日キー１３６の順に押下する。１４１は入力したものを訂正する訂正キー、１４２は振り分け指定日と各口座に振り分ける金額の入力が完了したときに押下する確認キーである。
【００４９】
上記したキーを利用者が押下して振り分け指定日を入力することができる。
Ｓ１１０８：利用者による振り分け指定日の入力が完了すると、次に、利用者は振り分け先の口座に振り分ける金額を入力する。本実施例では、利用者は口座名称３３が引落口座である口座への振り分け金額を入力し、次に、口座名称３３が貯蓄口座である口座への振り分け金額を入力する。利用者は振り分け金額等の入力に間違いのないことを確認した後、確認キー１４２を押下する。確認キー１４２が押下されると自動取引装置１はその設定情報をホストコンピュータ３に送信する。ホストコンピュータ３は受信した設定情報を図示しないマスタファイルに記録する。
【００５０】
Ｓ１１０９：利用者による振り分け設定の操作が完了すると挿入されたカードまたは通帳を返却して終了する。
振り分け指定日になるとホストコンピュータ３はマスタファイルからその設定情報を読み出し、振り分けの取引を行なう。この場合、利用者が設定した振り分け元の口座から振り分け先の口座へ指定した金額の振込み取引となる。
【００５１】
なお、本実施例では振り分け元の口座と振り分け先の口座は同一の利用者としたが振り分け先の口座は他人のものであってもよい。また、Ｓ１１０８で入力した設定情報は自動取引装置１の記憶部２５１に記憶し、振り分け指定日になると自動取引装置１は記憶部２５１からその設定情報を読み出し、取引処理部２５３で振り分け取引をするようにしてもよい。
【００５２】
以上説明したように、第２の実施例では、複数の口座を有する利用者が１回の取引で特定した口座からそれ以外の各口座へ入金する金額と振り分け日を指定して振込み取引を行なうことにより利用者の操作時間を短縮するとともに口座間の振り込みを忘れることがなくなるという効果が得られる。
図１４は本発明の第３の実施例を示すフローチャートである。なお、構成は上述した第１の実施例と同様であり、同一の部分は同一の符号を付してその説明を省略する。
【００５３】
第３の実施例の作用について図１４の第３の実施例を示すフローチャートのＳで表すステップにしたがって説明する。
まず、利用者口座情報データベース５に格納された口座番号３１、口座残高３２、口座名称３３および関連口座番号３４はホストコンピュータ３からの通知や金融機関等のオペレータの操作等により予め設定しておく。
【００５４】
Ｓ１４０１：自動取引装置１は図示しないセンサにより利用者が接近したことを検知する。
Ｓ１４０２：自動取引装置１は利用者が接近したことを検知すると図５に示す初期画面を利用者操作表示部２１に表示する。この初期画面には利用者が行なう取引を選択するための入金キー５１、お支払キー５２、お振込みキー５３、残高照会キー５４、通帳記入キー５５、振り分け設定キー５６等がある。利用者は希望するキーを押下することで取引を開始することができる。
【００５５】
Ｓ１４０３：利用者は希望する取引を示すキーを押下する。
Ｓ１４０４：利用者が押下したキーがお支払キー５２以外の場合は他のそれぞれの取引を行なう。
Ｓ１４０５：利用者がお支払キー５２を押下すると自動取引装置１は利用者にカード等の取引媒体の挿入を促す画面を表示し、カードリーダプリンタ部２２はカードの挿入を待つ。利用者がカードを挿入した場合はカードリーダプリンタ部２２でカードの磁気ストライプ等に記録された利用者の口座番号を読取る。なお、カードでなく通帳を挿入し磁気ストライプ等に記録された利用者の口座番号を読取るようにしてもよい。
【００５６】
Ｓ１４０６：利用者は利用者操作表示部２１から暗証番号の入力を行い、自動取引装置１はその暗証番号と取引媒体から読取った口座番号をホストコンピュータ３に送信し、ホストコンピュータ３が本人確認をする。本人であることが確認できなかった場合はカードを利用者に返却し取引を終了する。
Ｓ１４０７：本人であることが確認できた場合、自動取引装置１は読取った利用者の口座番号を利用者口座情報サーバ４へ送信する。利用者口座情報サーバ４はその口座番号に対応する口座である本口座の口座残高３２ならびに口座名称３３およびその口座に関連する口座である関連口座に対応する口座残高３２ならびに口座名称３３を抽出して自動取引装置１へ送信する。自動取引装置１は受信した口座残高３２および口座名称３３をもとに図１５に示す口座残高の表示画面を利用者操作表示部２１に表示する。
【００５７】
例えば、利用者のカードまたは通帳から読取った口座番号が０００１とすると自動取引装置１はその口座番号０００１を利用者口座情報サーバ４に送信する。利用者口座情報サーバ４は受信した口座番号０００１に基づいて利用者口座情報データベース５を検索して口座残高３２の「１２３、４５６」、口座名称３３の「本口座」および関連口座番号３４の「０００３と０００５」を抽出する。
【００５８】
次に、利用者口座情報サーバ４は抽出した口座番号０００３に基づいて利用者口座情報データベース５を検索して口座残高３２の「１、１１１」、口座名称３３の「引落口座」および関連口座番号３４の「０００１と０００５」を抽出する。さらに、利用者口座情報サーバ４は抽出した口座番号０００５に基づいて利用者口座情報データベース５を検索して口座残高３２の「２、２２２」、口座名称３３の「貯蓄口座」および関連口座番号３４の「０００１と０００３」を抽出する。こうして、利用者口座情報サーバ４は口座番号０００１に関連するすべての口座の口座残高３２と口座名称３３を抽出する。次に、利用者口座情報サーバ４は抽出したすべての口座残高３２と口座名称３３を自動取引装置１へ送信する。
【００５９】
自動取引装置１は受信した口座残高３２と口座名称３３から図１５に示すように利用者のカードまたは通帳から読取った口座番号が０００１の口座について口座名称３３および口座残高３２を利用者操作表示部２１の本口座残高表示領域６３に表示する。また、口座番号０００１の関連口座である口座番号０００３および口座番号０００５の口座名称３３と口座残高３２を利用者操作表示部２１の関連口座残高表示領域６１、６２に表示する。
【００６０】
なお、口座名称３３に口座名称が設定されていない場合は口座番号を表示する。また、本実施例では関連口座は２口座で説明するが１口座でもよく、３口座以上でもよく、なくてもよいものである。この場合は関連口座の数に合わせて関連口座残高表示領域を増減する。したがって、関連口座が存在しない場合は関連口座残高表示領域６１、６２には何も表示しない。
【００６１】
さらに、図１５に示す口座残高の表示画面には本口座および関連口座の複数の口座から出金する場合に押下する「複数の口座から支払う」キー１５１、本口座のみから出金する場合に押下する「本口座から支払う」キー１５２および口座名称３３を変更する場合に押下する「口座の名称を変更する」キー６６を表示する。
Ｓ１４０８：利用者は、複数の口座から出金する場合は「複数の口座から支払う」キー１５１を押下し、本口座のみから出金する場合は「本口座から支払う」キー１５２を押下する。
【００６２】
Ｓ１４０９：利用者が「複数の口座から支払う」キー１５１を押下した場合は図１６に示す出金設定画面を利用者操作表示部２１に表示する。ここで、図１６において、１６０は合計金額キーであり、利用者が割合を指定して出金する場合に出金する合計金額を入力するときに押下するキーである。１６１は本口座キーであり、その中には本口座にかかる口座名称３３を表示する。１６２と１６３は関連口座キーであり、その中には関連口座にかかる口座名称３３を表示する。本口座キー１６１および関連口座キー１６２，１６３は利用者が出金する金額または割合を設定する口座を選択するときに押下するキーである。なお、本実施例では関連口座キーはふたつ表示したがふたつに限られるものでない。
【００６３】
１６４は金額や割合を入力するための数字キー、１６５は割合を示す割合キー、１６６は金額を示す円キー、１６７は入力した数字等を訂正する訂正キー、１６８は利用者の入力が終了したときに押下する終了キーである。
利用者はこの画面において、本口座および関連口座から出金する金額または割合を設定する。例えば、利用者が本口座および関連口座から金額を指定して出金する場合は、本口座キー１６１を押下し、続けて数字キー１６４で本口座から出金する金額を押下してその後に円キー１６６を押下する。次に、関連口座キー１６２（この場合は引落口座）を押下し、続けて数字キー１６４で関連口座から出金する金額を押下してその後に円キー１６６を押下する。同様に関連口座キー１６３（この場合は貯蓄口座）を押下し、続けて数字キー１６４で関連口座に入金する金額を押下してその後に円キー１６６を押下する。
【００６４】
利用者が本口座および関連口座から割合を指定して出金する場合は、まず、合計金額キー１６０を押下し、続けて出金する合計金額を数字キー１６４および円キー１６６で入力する。次に、本口座キー１６１を押下し、続けて数字キー１６４で本口座から出金する割合を押下してその後に割合キー１６５を押下する。次に、関連口座キー１６２（この場合は引落口座）を押下し、続けて数字キー１６４で関連口座から出金する割合を押下してその後に割合キー１６５を押下する。同様に関連口座キー１６３（この場合は貯蓄口座）を押下し、続けて数字キー１６４で関連口座から出金する割合を押下してその後に割合キー１６５を押下する。
【００６５】
ここで、割合とは全出金額に対する割合である。例えば、出金するすべての金額が１万円であり、本口座から７０％、関連口座である引落口座から１０％、貯蓄口座から２０％を設定すると本口座から７千円、関連口座である引落口座から千円、貯蓄口座から２千円がそれぞれ出金され、合計金額の１万円が出金される。
本口座および関連口座から出金する金額または割合の設定が完了し、利用者が終了キー１６８を押下すると図１７に示す複数口座から出金する画面を表示する。１７１には利用者が設定した割合または金額を表示し、利用者が間違いのないことを確認したら確認キー１７３を押下する。間違いが有る場合は訂正キー１７２を押下し、利用者は出金する金額または割合の設定を再度行なう。
【００６６】
なお、出金する金額で０円または出金する割合で０％を指定した場合、その口座から出金されない。
Ｓ１４１０：利用者が「本口座から支払う」キー１５２を押下した場合は通常の出金取引である本口座のみから出金する設定となる。
Ｓ１４１１：取引処理部２５３は利用者が希望する金額の出金取引を行なう。ここで、利用者が「本口座から支払う」キー１５２を押下した場合はもとより「複数の口座から支払う」キー１５１を押下した場合であっても１回の出金取引を行なうだけである。Ｓ１４０９およびＳ１４１０で操作した設定にしたがって振分処理部２５２で処理され利用者が指定した全金額の一部を本口座から、また、一部を関連口座から出金するように振分けてホストコンピュータ３に本口座の口座番号と出金する金額および関連口座の口座番号と出金する金額を送信する。次に、ホストコンピュータ３からの指示により自動取引装置１は取引処理部２５３の制御により出金動作を行い利用者に現金を支払う。
【００６７】
Ｓ１４１２：自動取引装置１はホストコンピュータ３との通信で出金取引が完了したら利用者が挿入したカードを返却して一連の出金取引は終了する。
以上説明したように、第３の実施例では、複数の口座を有する利用者が１回の取引で各口座から出金する金額や全出金金額に対する割合を指定して出金取引を行なうことにより希望する出金取引を必ずすることができ自動取引装置の操作をやり直すことがなくなるという効果が得られる。
【００６８】
また、本口座に関連する関連口座を予め利用者口座情報データベースに登録することにより、利用者がする取引媒体を挿入および暗証番号等の入力が１回となり、利用者の操作負担が軽減され、また、取引時間が短縮されるという効果が得られる。
【図面の簡単な説明】
【００６９】
【図１】第１の実施例を示す自動取引システム構成のブロック図
【図２】第１の実施例を示す自動取引装置のブロック図
【図３】第１の実施例を示す利用者口座情報データベースの説明図
【図４】第１の実施例を示すフローチャート
【図５】第１の実施例を示す初期画面の説明図
【図６】第１の実施例を示す口座残高の表示画面の説明図
【図７】第１の実施例を示す入金設定画面の説明図
【図８】第１の実施例を示す複数口座に入金する画面の説明図
【図９】第１の実施例を示す口座名称変更画面の説明図
【図１０】第１の実施例を示す口座名称入力画面の説明図
【図１１】第２の実施例を示すフローチャート
【図１２】第２の実施例を示す振り分け元口座指定画面の説明図
【図１３】第２の実施例を示す振り分け指定画面の説明図
【図１４】第３の実施例を示すフローチャート
【図１５】第３の実施例を示す口座残高の表示画面の説明図
【図１６】第３の実施例を示す出金設定画面の説明図
【図１７】第３の実施例を示す複数口座に出金する画面の説明図
【符号の説明】
【００７０】
１    自動取引装置
２    ネットワーク
３    ホストコンピュータ
４    利用者口座情報サーバ
５    利用者口座情報データベース
２１  利用者操作表示部
２２  カードリーダプリンタ部
２３  入出金部
２４  通帳部
２５  制御部
２５１  記憶部
２５２  振分処理部
２５３  取引処理部
３１  口座番号
３２  口座残高
３３  口座名称
３４  関連口座番号
【図１】
2006099316.tif 000003
【図２】
2006099316.tif 000004
【図３】
2006099316.tif 000005
【図４】
2006099316.tif 000006
【図５】
2006099316.tif 000007
【図６】
2006099316.tif 000008
【図７】
2006099316.tif 000009
【図８】
2006099316.tif 000010
【図９】
2006099316.tif 000011
【図１０】
2006099316.tif 000012
【図１１】
2006099316.tif 000013
【図１２】
2006099316.tif 000014
【図１３】
2006099316.tif 000015
【図１４】
2006099316.tif 000016
【図１５】
2006099316.tif 000017
【図１６】
2006099316.tif 000018
【図１７】
2006099316.tif 000019